(57)【要約】【課題】ヒートポンプユニット等の部品交換において、メンテナンス作業が容易な乾燥装置を提供する。【解決手段】回転ドラム１３およびヒートポンプユニット１２、さらに駆動モータ８が現れ、駆動モータ８とヒートポンプユニット１２を側板２を外した状態で側板２側から取り出すことができ、天板３、裏板５、側板２を筐体１から外した状態において、前方支柱１９、後方支柱１８および筐体１の上部を梁部１６で構成したので、前方支柱１９、後方支柱１８および筐体１の上部を梁部１６による骨組みを維持したまま回転ドラム１３を外せる。また乾燥装置の分解や復元が容易となり、メンテナンス、部品交換等の作業性を向上させた乾燥装置を実現することができる。【選択図】図４
2014033840.tif 000002
【特許請求の範囲】
【請求項１】
筐体内部に設けられた回転ドラムと、前記筐体の前方を覆う前板と、回転ドラムを後方から覆う裏板と、前記筐体の底板と、前記筐体の側方を覆う側板と、前記筐体を上方から覆う天板と、前記筐体内部に設けられた回転ドラムと、前記回転ドラムを回転させる駆動モータと、前記回転ドラム内に収容された衣類を乾燥させるヒートポンプユニットとを備え、前記ヒートポンプユニットは前記底板に設けられ、前記天板、前記裏板、前記側板を前記筐体から外した状態において、前方支柱、後方支柱および前記筐体の上部を梁部で構成した乾燥装置。
【請求項２】
後方支柱の一部を凹形状とした請求項１に記載の乾燥装置。
【請求項３】
側板を外すことにより、駆動モータ及びヒートポンプユニットを筐体側方から外せる構成とした請求項１または２に記載の乾燥装置。
【発明の詳細な説明】
【技術分野】
【０００１】
本発明は、ヒートポンプユニットの熱交換作用を利用して衣類等の乾燥を行う乾燥装置に関するものである。
【背景技術】
【０００２】
近年、この種の乾燥装置の一例として洗濯乾燥機が知られている。そして、その洗濯乾燥機の乾燥手段として、従来の電気ヒータに代わり、ヒートポンプ技術を応用した乾燥方式が提案され、注目されている。ヒートポンプによる乾燥は、洗濯槽内から循環してくる高湿の空気をヒートポンプ装置の吸熱器により除湿し、この後、放熱器により高温、低湿の空気として再び槽内に循環させ、衣類等を乾燥させるものである。この方式は、従来の電気ヒータによる乾燥よりも、高いエネルギー効率と、より低温、低湿の空気による乾燥であるため、乾燥後における衣類のしわの低減や、生地の傷みが少ない。そして、従来、この種の洗濯乾燥機は、ヒートポンプ装置の熱交換器と圧縮機を台板上に載置し、一体化している（例えば、特許文献１参照）。
【０００３】
図７は、上記特許文献１に記載された従来の洗濯乾燥機を示すものである。  図７に示すように、従来の洗濯乾燥機は、外箱１０１内に、水槽１０２を配置し、その下部に、送風機１０８を組込んだ熱交換風路１０３が設けられている。そして熱交換風路１０３内に吸熱器１０４、放熱器１０５を配置し、この熱交換風路１０３と圧縮機１０６を金属製の台板１０７に載置した構成となっている。
【０００４】
以上のように構成された洗濯乾燥機は、外箱１０１内に冷凍サイクルを形成する各部品が全て収納され、熱交換風路１０３は、送風機１０８を駆動することにより、水槽１０２から排出された風を吸熱器１０４で冷却して除湿する。そして、除湿後の低湿度の乾燥風を放熱器１０５にて昇温し、熱交換用風路１０３から水槽１０２に供給している。 また、熱交換風路１０３は、台板１０７の上に圧縮機１０６が載置され、吸熱器１０４と放熱器１０５は、熱交換風路１０３内に設置され、圧縮機１０６と冷媒を流す管路で連結することにより冷凍サイクルを形成している。
【０００５】
さらに、外箱１０１内には、ベースに相当する台板１０７が固定されている。冷凍サイクルを形成するにあたって、外箱１０１内に熱交換器や圧縮機１０６を直接装着する構成は、洗濯機として必要な部品が組付けられている環境でろう付け作業、および真空引き作業を行うこととなり、組立て作業が非効率的である。
【０００６】
このため、冷凍サイクルを構成するのに必要な複数の要素を単独で取扱うことが可能な構成としている。したがって、冷凍サイクルを扱う専門的な組立工程で組立てることができるので、組立てが容易になるばかりでなく、設備等も他の製品の部品組立て等と共用できる。これにより、設備投資等も少なくなり、安くて良い製品を製造することが可能になる。しかも、試験等も確実に行うことができるので、製品の信頼性も高くなる。
【先行技術文献】
【特許文献】
【０００７】
【特許文献１】特開２００６−２３０８８７号公報
【発明の概要】
【発明が解決しようとする課題】
【０００８】
しかしながら、上記従来の構成は、圧縮機と放熱器と絞り手段（図示せず）と吸熱器と
を、銅管等の管路で連結したヒートポンプ装置と、吸熱器及び放熱器に風を流すための送風機とを組込んだ熱交換風路等を一体化しているが、ヒートポンプ装置と熱交換風路を一体化するために、洗濯機の底面と同じぐらいの面積の台板を必要とし、洗濯機を組立てる際には、外箱や水槽等を順番に組み付ける必要がある。また、冷凍サイクル部で故障が生じたときには、洗濯機全体を分解する必要があり、取出し方向等を工夫して冷凍サイクル部分を取り出すことが可能になったとしても、熱交換風路ごと取り出すので、分解が複雑になり部品点数も多く、構成が複雑になるという問題があった。
【０００９】
本発明は、裏板および側板を外すと回転ドラムを外せる構成とすることにより、骨組みを維持したまま回転ドラム外せるので復元が容易となり、メンテナンス等の作業性向上をはかることを目的とするものである。
【課題を解決するための手段】
【００１０】
上記従来の課題を解決するために、本発明の乾燥装置は、筐体内部に設けられた回転ドラムと、前記筐体の前方を覆う前板と、回転ドラムを後方から覆う裏板と、前記筐体の底板と、前記筐体の側方を覆う側板と、前記筐体を上方から覆う天板と、前記筐体内部に設けられた回転ドラムと、前記回転ドラムを回転させる駆動モータと、前記回転ドラム内に収容された衣類を乾燥させるヒートポンプユニットとを備え、前記ヒートポンプユニットは前記底板に設けられ、前記天板、前記裏板、前記側板を前記筐体から外した状態において、前方支柱、後方支柱および前記筐体の上部を梁部で構成したものである。
【００１１】
かかる構成により、骨組みを維持したまま回転ドラムを外せるので乾燥装置の復元が容易となり、メンテナンスや部品交換等の作業性を向上させた乾燥装置を実現することができる。さらに、裏板および側板を外すと回転ドラムを筐体から外すことが可能となり、ヒートポンプユニットのメンテナンス作業がさらに容易となる。
【発明の効果】
【００１２】
本発明の乾燥装置は、骨組みを維持したまま回転ドラムを外せるので復元が容易となり、メンテナンス、部品交換等の作業性を向上させた乾燥装置を実現することができる。
【図面の簡単な説明】
【００１３】
【図１】本発明の実施の形態１における乾燥装置の後方斜視図
【図２】同乾燥装置における天板、背面カバーを外した状態の後方斜視図
【図３】同乾燥装置における天板、背面カバー、側板を外した状態の後方斜視図
【図４】同乾燥装置における天板、背面カバー、側板、裏板を外した状態の後方斜視図
【図５】同乾燥装置における天板、背面カバー、側板、裏板、回転ドラム、駆動モータを外した状態の後方斜視図
【図６】同乾燥装置における天板、背面カバー、側板、裏板、回転ドラム、駆動モータ、ヒートポンプユニットを外した状態の後方斜視図
【図７】従来の洗濯乾燥機の縦断面図
【発明を実施するための形態】
【００１４】
請求項１に記載の発明は、筐体内部に設けられた回転ドラムと、前記筐体の前方を覆う前板と、回転ドラムを後方から覆う裏板と、前記筐体の底板と、前記筐体の側方を覆う側板と、前記筐体を上方から覆う天板と、前記筐体内部に設けられた回転ドラムと、前記回転ドラムを回転させる駆動モータと、前記回転ドラム内に収容された衣類を乾燥させるヒートポンプユニットとを備え、前記ヒートポンプユニットは前記底板に設けられ、前記天板、前記裏板、前記側板を前記筐体から外した状態において、前方支柱、後方支柱および前記筐体の上部を梁部で構成したものである。
【００１５】
これにより、骨組みを維持したまま回転ドラムを外せるので乾燥装置の復元が容易となり、メンテナンス、部品交換等の作業性を向上させた乾燥装置を実現することができる。
【００１６】
請求項２に記載の発明は、請求項１に記載の発明において、後方支柱の一部を凹形状とすることにより、筐体幅寸法を大きくすることなく回転ドラムを着脱することが可能となり、製品の小型化が可能となる。
【００１７】
請求項３に記載の発明は、請求項１または２に記載の発明において、側板を外すことにより、駆動モータ及びヒートポンプユニットを筐体側方から外せる構成としたことにより、乾燥装置を大きく動かさなくとも駆動モータやヒートポンプユニットのメンテナンス作業が容易となる。
【００１８】
以下、図面を参照しながら本発明の実施の形態について説明する。なお、この実施の形態により、本発明が限定されるものではない。
【００１９】
（実施の形態１）
図１〜図６に示すように、本実施の形態における乾燥装置は、筐体１内に回転ドラム１３が配設されている。回転ドラム１３は、有底円筒形の開口部側を筐体１の正面側に、底面側を筐体１の背面側にして、回転軸２３が水平となるようにして配置され、回転軸２３は、回転ドラム１３の背面に設けられた軸受と前面左右に設けられた回転盤２３により支持されている。回転ドラム１３の底面には通風孔として、φ５程度の多数の孔２４が開口されており、筐体１の底板２０に載置されたヒートポンプユニット１２と繋がる通風経路Ａ（図示せず）を構成している。回転ドラム１３の正面側には衣類出入口（図示せず）が形成され、筐体１の正面側に形成された開口部（図示せず）を開閉可能に閉じる扉（図示せず）を開くことにより、前記衣類出入口を通じて回転ドラム１３内に対して衣類などの洗濯物を出し入れすることができる。
【００２０】
回転ドラム１３の外周は、筐体１の底板２０に取り付けられた両軸の駆動モータ８の前側回転駆動軸に装着されたドラム駆動プーリ７にドラム駆動ベルト９が架設されたベルト駆動構造が構成され、両軸の駆動モータ８によって回転ドラム１３が回転駆動される。両軸の駆動モータ８の後側回転駆動軸に装着されたファン駆動プーリ１０とヒートポンプユニット１２に配設される送風ファン（図示せず）との間も同様にファン駆動ベルト１１が架設されたベルト駆動構造が構成される。
【００２１】
回転ドラム１３の回転により、回転ドラム１３内に収容された衣類などの洗濯物は内周壁に設けられた攪拌突起（図示せず）によって回転方向に持ち上げられ、持ち上げられた適当な高さ位置から落下する攪拌動作が繰り返される。
【００２２】
筐体１の前面側の扉（図示せず）を開いて回転ドラム１３内に衣類などの洗濯物を投入して筐体１の例えば前面上部に設けられた操作パネル（図示せず）での操作で、その内側などにも設けられた制御基板などによる制御を通じて運転を開始させると、両軸の駆動モータ８により回転ドラム１３および送風ファン（図示せず）が回転駆動されて乾燥工程が開始される。
【００２３】
この送風ファンの駆動により、空気の流れが発生して衣類などの洗濯物を収容した回転ドラム１３内の湿った空気が、送風経路Ｂ（図示せず）を経てヒートポンプユニット１２内に位置した吸熱器（図示せず）に空気中の水分を結露させて除湿することと、凝縮器（図示せず）との熱交換により加熱することとで、常に乾燥した高温の空気となる。この乾燥した高温の空気は送風ファンに吸引されて送風経路Ａから回転ドラム１３内に入って衣
類などの洗濯物に曝されながら、再度送風経路Ｂからヒートポンプユニット１２へと導入される。以上のような、空気の循環の繰り返しにより乾燥工程が実施される。
【００２４】
ここで、結露水が生じる吸熱器は凝縮器と共に熱交換部をなし、そのヒートポンプユニットは傾斜のある排水経路（図示せず）によって結露水が溜まる構成となっており最下部に構成された貯留部（図示せず）で排水ホース（図示せず）と連結された排水ポンプ（図示せず）と接続され、排水ポンプ（図示せず）の動作時に筐体１の上部に位置した貯水部１５に結露水が溜まる構成となっている。
【００２５】
以上のような乾燥装置は、メンテナンスの手間の容易さ、小型化、部品点数削減、組立工数の削減、交換部品の削減が望まれる。
【００２６】
これらに対応して本実施の形態の乾燥装置は、図１に示すように、筐体１を上方から天板３で覆っており、筐体１の側方を側板２で覆っており、さらに筐体１の後方は背面カバー４で覆われている。
【００２７】
図２で示すように、背面カバー４を外すと裏板５とファンケース６が現れる。さらに天板３を外すと上部の両サイドに設けられた制御ユニット１４と貯水部１５が現れる。
【００２８】
図３および図４で示すように、側板２を外すと、回転ドラム１３およびヒートポンプユニット１２、さらに駆動モータ８が現れ、駆動モータ８とヒートポンプユニット１２を側板２を外した状態で側板２側から取り出すことが可能となっている。これにより、乾燥装置を大きく動かさなくとも駆動モータ８やヒートポンプユニット１２のメンテナンス作業が容易となる。さらに裏板５を外すことで、回転ドラム１３を後方（裏板５側）から取り外すことができる。
【００２９】
図５と図６に示すとおり、天板３、裏板５、側板２を筐体１から外した状態において、前方支柱１９、後方支柱１８および筐体１の上部を梁部１６で構成したものである。これにより、前方支柱１９、後方支柱１８および筐体１の上部を梁部１６による骨組みを維持したまま回転ドラム１３を外せるので乾燥装置の分解や復元が容易となり、メンテナンス、部品交換等の作業性を向上させた乾燥装置を実現することができる。このとき貯水部１５や制御ユニット１４をわざわざ取り外す必要もない。
【００３０】
さらに、回転ドラム１３の収納位置にあわせて後方支柱１６の一部を凹形状とすることにより、筐体幅寸法を大きくすることなく回転ドラム１３を着脱することが可能となり、製品の小型化が可能となる。
【産業上の利用可能性】
【００３１】
以上のように、本発明にかかる乾燥装置は、裏板および側板を外すと回転ドラムを外せる構成とすることにより、骨組みを維持したまま回転ドラムを外せるので復元や分解が容易となり、メンテナンス等の作業性の向上をはかることが可能となる。
【符号の説明】
【００３２】
１  筐体
２  側板
３  天板
４  背面カバー
５  裏板
６  ファンケース
７  ドラム駆動プーリ
８  駆動モータ
９  ドラム駆動ベルト
１０  ファン駆動プーリ
１１  ファン駆動ベルト
１２  ヒートポンプユニット
１３  回転ドラム
１４  制御ユニット
１５  貯水部
１６  梁部
１７  後方支柱
１８  凹形状部
１９  前方支柱
２０  底板
２１  前板
【図１】
2014033840.tif 000003
【図２】
2014033840.tif 000004
【図３】
2014033840.tif 000005
【図４】
2014033840.tif 000006
【図５】
2014033840.tif 000007
【図６】
2014033840.tif 000008
【図７】
2014033840.tif 000009